(57)【要約】【課題】情報記録に必要な手間と時間を低減するとともに、患者への投薬が適正か否かが明確になる投薬管理方法および投薬管理システムを提供する。【解決手段】所定距離の範囲内に位置する第２携帯装置２０と端末機３０ａとの間で相互認証を行い（相互認証工程；Ｓ１０）、リーダによる情報の取得を可能に設定し（設定工程；Ｓ１４）、リーダで患者情報Ｊ１および担当者情報Ｊ２を取得し（取得工程；Ｓ１５）、患者情報Ｊ１および担当者情報Ｊ２と、別個に読み取った投薬情報Ｊ３（Ｓ１７）とに基づいて投薬の許可または不許可を報知した（報知工程；Ｓ１９）。各情報は文字等で特定できるので、情報記録に必要な手間と時間を低減できる。また所定距離の範囲内に位置する装置間で相互認証を行い、別個の手続きで情報を取得したうえで投薬の許可または不許可を報知するので、患者への投薬が適正か否かが明確になる。【選択図】図４
2008269464.tif 000002
【特許請求の範囲】
【請求項１】
患者に投薬を行う投薬担当者を特定する担当者情報および当該患者を特定する患者情報の双方を記憶する第１記憶手段と前記患者情報を表示する第１表示手段とを備える患者が携帯し得る第１携帯装置と、
前記患者情報および前記担当者情報の双方を記憶する第２記憶手段と前記担当者情報を表示する第２表示手段を備える前記投薬担当者が携帯する第２携帯装置と、
前記患者情報と前記担当者情報との双方を第３記憶手段に記憶するとともにリーダと情報読取手段とを有する管理装置と、について、
前記第１記憶手段、前記第２記憶手段および前記第３記憶手段に記憶された情報に基づいて所定距離の範囲内でのみ可能な通信によって一以上の相互間で認証を行う相互認証工程と、
前記相互認証工程で一以上の相互間で認証が行われると、前記リーダによる情報の取得を可能に設定する設定工程と、
前記設定工程で前記リーダによる情報の取得を可能に設定されると、前記第１表示手段に表示された患者情報と前記第２表示手段に表示された担当者情報との双方を前記リーダによって取得する取得工程と、
前記管理装置から送信される表示信号に基づいて情報表示手段に表示される情報であって前記患者に医師が処方した薬に関する投薬情報を情報読取手段によって読み取ると、前記取得工程で取得した前記患者情報および前記担当者情報とともに、第３記憶手段に予め関連付けて記憶された前記患者情報と前記担当者情報と前記投薬情報と一致するか否かに基づいて、投薬の許可または不許可を報知する報知工程とを有する投薬管理方法。
【請求項２】
請求項１に記載された投薬管理方法であって、
報知工程では、リーダまたは情報読取手段によって取得した情報であって患者に投与する薬を特定する薬剤情報が投薬情報に含まれる薬剤情報と一致し、分量や投与時間等に関する投薬条件を満たす場合に限って投薬の許可を報知する投薬管理方法。
【請求項３】
患者が携帯することができ、当該患者を特定する患者情報と前記患者に投薬を行う投薬担当者を特定する担当者情報との双方を記憶する第１記憶手段と、前記患者情報を表示する第１表示手段と、所定距離の範囲内に位置する第２携帯装置および管理装置について個別に無線通信を行う第１通信手段と、当該第１通信手段を通じて前記第２携帯装置または前記管理装置から取得した担当者情報と前記第１記憶手段に記憶された担当者情報とが一致するか否かにより認証または非認証のいずれかを決定する第１認証手段とを有する第１携帯装置と、
前記投薬担当者が携帯し、前記患者情報と前記担当者情報との双方を記憶する第２記憶手段と、前記担当者情報を表示する第２表示手段と、前記第１携帯装置および前記管理装置について個別に通信を行う第２通信手段と、当該第２通信手段を通じて前記第１携帯装置または前記管理装置から取得した患者情報と前記第２記憶手段に記憶された患者情報とが一致するか否かにより認証または非認証のいずれかを決定する第２認証手段とを有する第２携帯装置と、
前記管理装置から送信される表示信号に基づいて、前記患者に医師が処方した薬に関する投薬情報を表示する情報表示手段と、
前記患者情報と前記担当者情報と前記投薬情報とを関連付けて記憶する第３記憶手段と、前記第１携帯装置および前記第２携帯装置について個別に通信を行う第３通信手段と、当該第３通信手段を通じて前記第１携帯装置から取得した患者情報または前記第２携帯装置から取得した担当者情報が前記第３記憶手段に記憶された患者情報または担当者情報と一致するか否かにより認証または非認証のいずれかを決定する第３認証手段と、前記第１認証手段、前記第２認証手段および前記第３認証手段のうちで一以上が認証を決定するとリーダによる情報の取得を可能に設定するとともに前記第１表示手段に表示された患者情報と前記第２表示手段に表示された担当者情報との双方を前記リーダによって取得する情報取得手段と、前記情報表示手段に表示された投薬情報を読み取る情報読取手段と、前記情報取得手段で取得した患者情報および担当者情報と前記情報読取手段で読み取った投薬情報とが前記第３記憶手段に記憶された前記患者情報と前記担当者情報と前記投薬情報と一致するか否かに基づいて投薬の許可または不許可を報知する報知手段とを有する管理装置とからなる投薬管理システム。
【請求項４】
請求項３に記載した投薬管理システムであって、
第１携帯装置に備えられ、第１認証手段が認証を決定した場合は前記第１通信手段を通じて管理装置に取得許可信号を送信する第１送信手段と、
第２携帯装置に備えられ、第２認証手段が認証を決定した場合は前記第２通信手段を通じて前記管理装置に取得許可信号を送信する第２送信手段とを有し、
情報取得手段は、前記第１送信手段および前記第２送信手段のうち一方または双方から送信された取得許可信号を受信すると、リーダによる情報の取得を可能に設定する投薬管理システム。
【請求項５】
請求項３または４に記載した投薬管理システムであって、
報知手段は、リーダまたは情報読取手段によって取得する情報であって患者に投与する薬を特定する薬剤情報が投薬情報に含まれる薬剤情報と一致し、時間や分量等に関する投薬条件を満たす場合に限って投薬の許可を報知する投薬管理システム。
【請求項６】
請求項３から５のいずれか一項に記載した投薬管理システムであって、
報知手段は、情報取得手段で取得した患者情報および担当者情報と、情報読取手段で読み取った投薬情報とについて情報の一部または全部を報知する投薬管理システム。
【発明の詳細な説明】
【技術分野】
【０００１】
本発明は、患者が携帯し得る第１携帯装置と、投薬担当者が携帯する第２携帯装置と、管理装置とからなる投薬管理方法および投薬管理システムに関する。
【背景技術】
【０００２】
従来では、患者の個人情報をブレスレットにバーコードで印刷し、投薬時にバーコードを読み取って得られる個人情報と指紋から採取される指紋情報とに基づいて管理用コンピュータから送信される対応の情報とを患者識別用携帯端末で照合して患者を識別し、投薬内容が確認できるシステムの一例が開示されている（例えば特許文献１を参照）。
【特許文献１】特開２００３−６７４８８号公報
【発明の開示】
【発明が解決しようとする課題】
【０００３】
しかし、患者の識別を行うに当たって指紋情報を予め管理用コンピュータに記憶させるために、指紋情報の採取や記憶を行わなければならず手間と時間が掛かっていた。
また、患者の識別と投薬内容の確認が適正であったとしても、処方された薬と投与しようとする薬とが一致しない可能性があった。
【０００４】
本発明はこのような点に鑑みてなしたものであり、情報記録に必要な手間と時間を従来よりも低減するとともに、患者への投薬が適正か否かが明確になる投薬管理方法および投薬管理システムを提供することを目的とする。
【課題を解決するための手段】
【０００５】
（１）課題を解決するための手段（以下では単に「解決手段」と呼ぶ。）１は、患者に投薬を行う投薬担当者を特定する担当者情報および当該患者を特定する患者情報の双方を記憶する第１記憶手段と前記患者情報を表示する第１表示手段とを備える患者が携帯し得る第１携帯装置と、前記患者情報および前記担当者情報の双方を記憶する第２記憶手段と前記担当者情報を表示する第２表示手段を備える前記投薬担当者が携帯する第２携帯装置と、前記患者情報と前記担当者情報との双方を第３記憶手段に記憶するとともにリーダと情報読取手段とを有する管理装置と、について、前記第１記憶手段、前記第２記憶手段および前記第３記憶手段に記憶された情報に基づいて所定距離の範囲内でのみ可能な通信によって一以上の相互間で認証を行う相互認証工程と、前記相互認証工程で一以上の相互間で認証が行われると、前記リーダによる情報の取得を可能に設定する設定工程と、前記設定工程で前記リーダによる情報の取得を可能に設定されると、前記第１表示手段に表示された患者情報と前記第２表示手段に表示された担当者情報との双方を前記リーダによって取得する取得工程と、前記管理装置から送信される表示信号に基づいて情報表示手段に表示される情報であって前記患者に医師が処方した薬に関する投薬情報を情報読取手段によって読み取ると、前記取得工程で取得した前記患者情報および前記担当者情報とともに、第３記憶手段に予め関連付けて記憶された前記患者情報と前記担当者情報と前記投薬情報と一致するか否かに基づいて、投薬の許可または不許可を報知する報知工程とを有することを要旨とする。
【０００６】
「患者」は一般的に人間であるが、動物病院等の場合は動物である。「患者情報」は文字、記号、コード（バーコードを含む）等によって記述され、例えば患者ごとに割り当てた固有の番号や、患者の氏名、性別、年齢などで実現する。「投薬担当者」は患者に対して投薬を行う資格を有する者であって、例えば医師、看護師、薬剤師等が該当する。「担当者情報」は文字、記号、コード（バーコードを含む）等によって記述され、例えば投薬担当者ごとに割り当てた固有の番号や、投薬担当者の氏名、性別、年齢などで実現する。「第１携帯装置」は患者が携帯できて無線通信が可能な任意の機器を適用でき、例えば無線ＩＣタグ（ＲＦＩＤタグを含む）やマイクロチップ等が該当する。「第２携帯装置」は投薬担当者が携帯できて有線／無線を問わず通信可能であれば任意の機器を適用でき、例えばＩＣカード（ＩＤカードを含む）、無線ＩＣタグ、携帯電話機、携帯情報端末（ＰＤＡ；Personal Digital Assistant）等が該当する。「医師」は治療対象に応じて異なり、通常の医師のほかに歯科医師や獣医師等が該当する。「投薬情報」は投与情報（例えば分量、投与時間等）や後述する薬剤情報などが該当し、カルテや処方箋等に記録される情報を含む。この投薬情報は文字、記号（符号を含む）、コード（バーコードやＱＲコード等を含む）等のような情報交換用符号（以下では「文字等」と呼ぶ。）によって記述され、例えば第１携帯装置や第２携帯装置への記録（記憶、印刷を含む）や表示、表示装置への表示、凹凸（印刷を含む）、切欠き、穿孔等のように物体に物理的な変形を加えた記録などで実現する。「管理装置」は各種の情報を管理可能な機器を適用でき、例えばサーバーや当該サーバーとの間で通信可能に接続された端末機等が該当する。「情報表示手段」は投薬情報を表示可能であれば任意の機器を適用でき、例えば表示装置が該当する。リーダと情報読取手段は、取得する対象に応じて同一の機器でもよく別個の機器でもよい。
【０００７】
解決手段１によれば、第１携帯装置は患者が携帯することができ、第２携帯装置は投薬担当者が携帯する。なお第１携帯装置については、患者自身が携帯してもよく、患者に関係する者（例えば親、子供、親族等）が携帯してもよい。管理装置は投薬担当者が携帯する場合に限らず、治療用ベッドまたはその近傍に配置する場合や、所定の建物や部屋等（例えば管理室）に設置する場合等を含む。第１携帯装置、第２携帯装置および管理装置における各相互間で認証を行い（相互認証；相互認証工程）、一以上の相互間で認証が行われた場合に限ってリーダによる情報の取得を可能に設定し（設定工程）、取得可能になったリーダで患者情報および担当者情報を取得し（取得工程）、当該取得した患者情報および担当者情報と情報読取手段によって読み取った投薬情報とに基づいて投薬の許可または不許可を報知する（報知工程）。患者情報や担当者情報は文字等で特定できるので、情報記録に必要な手間と時間を従来よりも低減することができる。また所定距離の範囲内に位置する装置間で相互認証を行い、患者情報および担当者情報の取得（リーダ）と、投薬情報の読み取り（情報読取手段）とを別個の手続きで行ったうえで投薬の許可または不許可を報知するので、患者への投薬が適正か否かが明確になる。
【０００８】
（２）解決手段２は、解決手段１に記載した投薬管理方法であって、報知工程では、リーダまたは情報読取手段によって取得した情報であって患者に投与する薬を特定する薬剤情報が投薬情報に含まれる薬剤情報と一致し、分量や投与時間等に関する投薬条件を満たす場合に限って投薬の許可を報知することを要旨とする。
【０００９】
解決手段２によれば、単に処方された薬と投与しようとする薬とが一致するだけでなく、分量や投与時間等が適正か否かを判別するための投薬条件を満たして初めて投薬を許可する報知を行う。したがって、投薬ミスを未然に防止することができる。
【００１０】
（３）解決手段３は、投薬管理システムであって、患者が携帯することができ、当該患者を特定する患者情報と前記患者に投薬を行う投薬担当者を特定する担当者情報との双方を記憶する第１記憶手段と、前記患者情報を表示する第１表示手段と、所定距離の範囲内に位置する第２携帯装置および管理装置について個別に無線通信を行う第１通信手段と、当該第１通信手段を通じて前記第２携帯装置または前記管理装置から取得した担当者情報と前記第１記憶手段に記憶された担当者情報とが一致するか否かにより認証または非認証のいずれかを決定する第１認証手段とを有する第１携帯装置と、前記投薬担当者が携帯し、前記患者情報と前記担当者情報との双方を記憶する第２記憶手段と、前記担当者情報を表示する第２表示手段と、前記第１携帯装置および前記管理装置について個別に通信を行う第２通信手段と、当該第２通信手段を通じて前記第１携帯装置または前記管理装置から取得した患者情報と前記第２記憶手段に記憶された患者情報とが一致するか否かにより認証または非認証のいずれかを決定する第２認証手段とを有する第２携帯装置と、前記管理装置から送信される表示信号に基づいて、前記患者に医師が処方した薬に関する投薬情報を表示する情報表示手段と、前記患者情報と前記担当者情報と前記投薬情報とを関連付けて記憶する第３記憶手段と、前記第１携帯装置および前記第２携帯装置について個別に通信を行う第３通信手段と、当該第３通信手段を通じて前記第１携帯装置から取得した患者情報または前記第２携帯装置から取得した担当者情報が前記第３記憶手段に記憶された患者情報または担当者情報と一致するか否かにより認証または非認証のいずれかを決定する第３認証手段と、前記第１認証手段、前記第２認証手段および前記第３認証手段のうちで一以上が認証を決定するとリーダによる情報の取得を可能に設定するとともに前記第１表示手段に表示された患者情報と前記第２表示手段に表示された担当者情報との双方を前記リーダによって取得する情報取得手段と、前記情報表示手段に表示された投薬情報を読み取る情報読取手段と、前記情報取得手段で取得した患者情報および担当者情報と前記情報読取手段で読み取った投薬情報とが前記第３記憶手段に記憶された前記患者情報と前記担当者情報と前記投薬情報と一致するか否かに基づいて投薬の許可または不許可を報知する報知手段とを有する管理装置とからなることを要旨とする。
【００１１】
第１携帯装置および第２携帯装置をそれぞれ携帯すべき者や、管理装置を携帯または設置する位置などについては、上述した解決手段１と同様である。第１携帯装置、第２携帯装置および管理装置における所定距離の範囲内に位置する装置で認証／非認証を決定し、一以上で認証が決定されると、リーダによる情報の取得を可能に設定する。取得可能になったリーダを用いて情報取得手段が患者情報と担当者情報との双方を取得するとともに、投薬情報を情報読取手段で読み取る。これらの患者情報、担当者情報、投薬情報が第３記憶手段に関連付けて記憶された各情報と一致するか否かに基づいて、報知手段が投薬の許可または不許可を報知する。患者情報や担当者情報は文字等で特定できるので、情報記録に必要な手間と時間を従来よりも低減することができる。また、患者情報および担当者情報の取得と投薬情報の読み取りとを別個の手続きで行ったうえで投薬の許可または不許可を報知するので、患者への投薬が適正か否かが明確になる。
【００１２】
（４）解決手段４は、解決手段３に記載した投薬管理システムであって、第１携帯装置に備えられ、第１認証手段が認証を決定した場合は前記第１通信手段を通じて管理装置に取得許可信号を送信する第１送信手段と、第２携帯装置に備えられ、第２認証手段が認証を決定した場合は前記第２通信手段を通じて前記管理装置に取得許可信号を送信する第２送信手段とを有し、情報取得手段は、前記第１送信手段および前記第２送信手段のうち一方または双方から送信された取得許可信号を受信すると、リーダによる情報の取得を可能に設定することを要旨とする。
【００１３】
解決手段４によれば、管理装置は情報取得手段を通じて受信した取得許可信号によって第１携帯装置や第２携帯装置の認証を把握できるので、リーダによる情報の取得を可能に設定する。言い換えれば、第１携帯装置と第２携帯装置との相互間、第２携帯装置と管理装置との相互間、第１携帯装置と管理装置との相互間のうちで一以上の相互間について認証が取得許可信号で明らかにならない限り、リーダが使えない。したがって、非認証の状態で患者情報や担当者情報がリーダによって取得されるのを防止することができる。
【００１４】
（５）解決手段５は、解決手段３または４に記載した投薬管理システムであって、報知手段は、リーダまたは情報読取手段によって取得する情報であって患者に投与する薬を特定する薬剤情報が投薬情報に含まれる薬剤情報と一致し、時間や分量等に関する投薬条件を満たす場合に限って投薬の許可を報知することを要旨とする。
【００１５】
解決手段５によれば、上述した解決手段２と同様に投薬条件を満たして初めて投薬を許可する報知を行う。したがって、投薬ミスを未然に防止することができる。
【００１６】
（６）解決手段６は、解決手段３から５のいずれか一項に記載した投薬管理システムであって、報知手段は、情報取得手段で取得した患者情報および担当者情報と、情報読取手段で読み取った投薬情報とについて情報の一部または全部を報知することを要旨とする。
【００１７】
解決手段６によれば、患者情報、担当者情報、投薬情報の一部または全部を報知するので、投薬担当者は処方された薬と投与しようとする薬とを確認することができる。したがって、投薬ミスを未然に防止することができる。
【発明の効果】
【００１８】
本発明によれば、患者情報や担当者情報は文字等で特定できるので、情報記録に必要な手間と時間を従来よりも低減することができる。また所定距離の範囲内に位置する装置間で相互認証を行い、患者情報および担当者情報の取得と投薬情報の読み取りとを別個の手続きで行ったうえで投薬の許可または不許可を報知するので、患者への投薬が適正か否かが明確になる。
【発明を実施するための最良の形態】
【００１９】
本発明を実施するための最良の形態について、図面に基づいて説明する。
【００２０】
〔実施の形態１〕
実施の形態１は第２携帯装置と管理装置との相互間でのみ認証を行う例であって、図１〜図２を参照しながら説明する。図１は投薬管理システムの構成例を模式的にブロック図で表す。図２は各情報の構成例を表す。図３には実際の使用例を表す。図４は患者への投薬手続き例をチャート図で表す。なお、本例では「医師」を投薬担当者とする。
【００２１】
図１に表す投薬管理システムは、第１携帯装置１０、第２携帯装置２０、管理装置３０および情報表示手段４０からなる。第１携帯装置１０は例えば無線ＩＣタグが内蔵されたリストバンドであって、患者が携帯することができる。すなわち患者自身が携帯してもよく、患者に関係する者（例えば親、子供、親族、代理人等）が携帯してもよい。第２携帯装置２０は例えば名札を兼ねたＩＤカードであって、医師が携帯する。本例における管理装置３０は、二点鎖線で図示するように管理室等に設置された非携帯型のサーバー３０ｂと、当該サーバー３０ｂとの間で通信可能な携帯型の端末機３０ａとからなる。情報表示手段４０には、本例では病院等の治療用ベッドに備え付けられたテレビ（ディスプレイ）を用いる。
【００２２】
第１携帯装置１０は、第１表示手段１４などを有する。第１表示手段１４は例えばリストバンドの表面に印刷や貼付等によって表示されるバーコードであって、当該バーコードとして記録される情報には少なくとも患者を特定する患者情報Ｊ１を含む。この患者情報Ｊ１は患者ごとに固有の識別番号であって、自動生成が可能であり、例えば図２（Ａ）に表す「Ｋ０１２３４５」等のような英数字からなる。
【００２３】
第２携帯装置２０は、第２通信手段２１、第２記憶手段２２、第２認証手段２３、第２送信手段２４、第２表示手段２５などを有する。第２通信手段２１、第２認証手段２３および第２送信手段２４は、各々がソフトウェアまたはハードウェアで実現される。
【００２４】
第２記憶手段２２には、上述した患者情報Ｊ１と医師等を特定する担当者情報Ｊ２との双方を文字等で記憶する。この担当者情報Ｊ２は投薬担当者ごとに固有の識別番号であって、自動生成が可能であり、医師の例では図２（Ｂ）に表す「Ｄ００１２３４」等のような英数字からなる。第２表示手段２５は例えば名札の表面に印刷や貼付等によって表示されるバーコードであって、当該バーコードとして記録される情報には少なくとも担当者情報Ｊ２を含む。第２通信手段２１は管理装置３０との間で通信を行う。第２認証手段２３は、第２通信手段２１を通じて管理装置３０から取得した患者情報Ｊ１と、第２記憶手段２２に記憶された患者情報Ｊ１とが一致するか否かにより、認証または非認証のいずれかを決定する。第２送信手段２４は、第２認証手段２３が認証を決定すると、第２通信手段２１を通じて管理装置３０に取得許可信号Ｉ２を送信する。
【００２５】
管理装置３０は、第３通信手段３１、第３認証手段３２、リーダ３３、情報取得手段３４、情報読取手段３５、情報出力手段３６、報知手段３７、第３記憶手段３８などを有する。これらの要素をどのように割り当てるのかは任意であるが、本例では情報出力手段３６および第３記憶手段３８をサーバー３０ｂが有し、その他の要素は端末機３０ａが有している。なお、第３通信手段３１、第３認証手段３２、情報取得手段３４、情報読取手段３５および報知手段３７は、各々がソフトウェアまたはハードウェアで実現される。
【００２６】
第３記憶手段３８には、患者情報Ｊ１と担当者情報Ｊ２と投薬情報Ｊ３とを関連付けて、患者ごとに対応して記憶する。投薬情報Ｊ３は患者に医師が処方した薬に関する情報であって、例えば図２（Ｃ）に表す「ＡＢ０００１２」「ＣＤ２４６８０」等のような英数字からなる薬剤情報Ｊ４が該当する。なお投薬情報Ｊ３には、必要に応じ、１回当たりの数量を表す数量情報Ｊ５や、投与（もしくは服用）する日時を表す時間情報Ｊ６等を含めてもよい。
【００２７】
患者情報Ｊ１と担当者情報Ｊ２と投薬情報Ｊ３とを関連付けて記憶する例を図２（Ｄ）に表す。本例では、患者（患者情報Ｊ１）ごとに対応して、医師や看護師等（担当者情報Ｊ２）と投薬に関する情報（投薬情報Ｊ３）とを関連付けて関連テーブル３８ａとして記憶する。本例の関連テーブル３８ａは、患者情報Ｊ１（患者）に「Ｋ０１２３４５」「Ｋ０１２３４６」「Ｋ１１２２３３」等が付与された各患者について、担当者情報Ｊ２（投薬担当者）や投薬情報Ｊ３（薬剤の情報）が関連付けている。担当者情報Ｊ２には、担当する医師の識別番号だけでなく、看護師の識別番号や薬剤師の識別番号を記憶する場合もある。なお上述したように、投薬情報Ｊ３に数量情報Ｊ５や時間情報Ｊ６等を含めて関連付けてもよい。
【００２８】
第３通信手段３１は第２携帯装置２０との間で通信を行う。第２携帯装置２０との間を無線信号で相互認証を行う場合には、所定距離の範囲（例えば３メートルや５メートル等）内に制限されるのが望ましい。第３認証手段３２は、第３通信手段３１を通じて第２携帯装置２０から取得した担当者情報Ｊ２が第３記憶手段３８に記憶された担当者情報Ｊ２と一致するか否かにより、認証または非認証のいずれかを決定する。情報取得手段３４は、第２認証手段２３および第３認証手段３２で認証を決定すると、リーダ３３による情報の取得を可能に設定するとともに、第１表示手段１４に表示された患者情報Ｊ１と第２表示手段２５に表示された担当者情報Ｊ２との双方をリーダ３３によって取得する。本例ではリーダ３３にバーコード・リーダを用いる。なお、第２認証手段２３による認証／非認証は、第２携帯装置２０から取得許可信号Ｉ２が送信されるか否かで判別可能である。
【００２９】
情報読取手段３５は、情報表示手段４０に表示された投薬情報Ｊ３を読み取る。例えば投薬情報Ｊ３をＱＲコードで情報表示手段４０に表示する場合は、情報読取手段３５はＱＲコード・リーダや画像認識手段（すなわちＱＲコードの画像を認識して文字等の情報に変換する手段）等が該当する。情報出力手段３６は情報表示手段４０に投薬情報信号Ｉ３および情報消去信号Ｉ４を出力し、第３記憶手段３８に記憶された投薬情報Ｊ３であって投薬しようとする患者に対応した情報を表示する。報知手段３７は、情報取得手段３４で取得した患者情報Ｊ１および担当者情報Ｊ２と情報読取手段３５で読み取った投薬情報Ｊ３とが第３記憶手段３８に記憶された患者情報Ｊ１と担当者情報Ｊ２と投薬情報Ｊ３と一致するか否かに基づいて、投薬の許可または不許可を報知する。この報知手段３７は、表示器（例えば液晶表示器）や発光体（例えばＬＥＤ）等への表示によって視覚的に報知してもよく、音（音声、音楽、効果音等）によって聴覚的に報知してもよく、振動体（例えばバイブレータ）を振動させることで触覚的に報知してもよい。
【００３０】
上述のように構成された投薬管理システムについて、実際の適用例を図３に表し、患者への投薬手続き例を図４に表す。まず図３において、管理室等に設置されたサーバー３０ｂから伝達される信号に従って投薬情報Ｊ３（本例ではＱＲコード）を表示するテレビ（情報表示手段４０）が治療用ベッドに備え付けられている。治療用ベッドで寝ている患者Ｋは、リストバンド（第１携帯装置１０）を手首等に装着して携帯する。リストバンドには患者Ｋを特定する患者情報Ｊ１がバーコード（第１表示手段１４）で表されている。回診等で訪れた医師Ｄは、名札を兼ねたＩＤカード（第２携帯装置２０）を衣服（例えば白衣）に装着して携帯するとともに、端末機３０ａを携帯する。名札には医師Ｄを特定する担当者情報Ｊ２がバーコード（第２表示手段２５）で表されている。
【００３１】
図４に表すチャートは、図面の上側から下側に向かって時間が進行する（後述する図６と図８も同様である）。時刻ｔ１０には第２携帯装置２０と端末機３０ａとの間で相互認証用信号Ｍ２を送受信して相互に認証を行う（相互認証工程に相当する；ステップＳ１０）。第２携帯装置２０は、第２認証手段２３が認証を決定すると（ステップＳ１１ａでＹＥＳ）、時刻ｔ１１に第２通信手段２１を通じて取得許可信号Ｉ２を送信する（ステップＳ１３）。ただし、第２認証手段２３が非認証を決定すると（ステップＳ１１ａでＮＯ）、第２携帯装置２０は何もしない（ステップＳ１２ａ）。
【００３２】
同様に端末機３０ａは、第３認証手段３２が認証を決定し（ステップＳ１１ｂでＹＥＳ）、かつ第２携帯装置２０から取得許可信号Ｉ２を受信すると、リーダ３３による情報の取得を可能に設定する（設定工程に相当する；ステップＳ１４）。この設定と並行して、第２携帯装置２０に備えたＬＥＤ等を点灯させて、取得可能に設定されたことを投薬担当者に知らせるのが望ましい。一方、第３認証手段３２が非認証を決定すると（ステップＳ１１ｂでＮＯ）、端末機３０ａは何もしない（ステップＳ１２ｂ）。
【００３３】
リーダ３３による情報の取得が設定された後、情報取得手段３４は第１表示手段１４にバーコードで表示された患者情報Ｊ１と、同じく第２表示手段２５にバーコードで表示された担当者情報Ｊ２との双方をリーダ３３によって取得する（取得工程に相当する；ステップＳ１５）。本例では、端末機３０ａを携帯している医師等がリーダ３３を用いて患者情報Ｊ１および担当者情報Ｊ２を取得するのが望ましい。
【００３４】
サーバー３０ｂは、時刻ｔ１２に投薬情報信号Ｉ３を情報表示手段４０に伝達し（ステップＳ１６）、時刻ｔ１３に情報消去信号Ｉ４を情報表示手段４０に伝達する（ステップＳ１８）。よって、時刻ｔ１２から時刻ｔ１３までの間には投薬情報信号Ｉ３の内容である投薬情報Ｊ３が情報表示手段４０に表示される。こうして情報表示手段４０にＱＲコードで表示された投薬情報Ｊ３を情報読取手段３５で読み取る（ステップＳ１７）。この読み取りも上述したステップＳ１５と同様に医師等が行うのが望ましい。
【００３５】
そして、ステップＳ１５で取得した患者情報Ｊ１および担当者情報Ｊ２と、ステップＳ１７で読み取った投薬情報Ｊ３とが第３記憶手段３８に記憶された患者情報Ｊ１と担当者情報Ｊ２と投薬情報Ｊ３と一致するか否かに基づいて、報知手段３７が投薬の許可または不許可を報知する（報知工程に相当する；ステップＳ１９）。
報知を行うにあたっては、単に投薬の許可／不許可だけでなく、情報取得手段３４で取得した患者情報Ｊ１や担当者情報Ｊ２、あるいは情報読取手段３５で読み取った投薬情報Ｊ３について、情報の一部または全部を報知するのが望ましい。また、リーダ３３や情報読取手段３５によって取得した薬剤情報Ｊ４が投薬情報Ｊ３に含まれる薬剤情報と一致し、分量や投与時間等に関する投薬条件を満たす場合に限って投薬の許可を報知する構成としてもよい。
【００３６】
上述した実施の形態１によれば、以下に表す各効果を得ることができる。
（１）所定距離の範囲内に位置する第２携帯装置２０と端末機３０ａとの間で相互認証を行い（相互認証工程；図４のステップＳ１０）、リーダ３３による情報の取得を可能に設定し（設定工程；図４のステップＳ１４）、リーダ３３で患者情報Ｊ１および担当者情報Ｊ２を取得し（取得工程；図４のステップＳ１５）、患者情報Ｊ１および担当者情報Ｊ２と情報読取手段３５によって読み取った投薬情報Ｊ３とに基づいて投薬の許可または不許可を報知した（報知工程；図４のステップＳ１９）。患者情報Ｊ１や担当者情報Ｊ２は文字等で特定でき、自動生成が可能であり、情報記録に必要な手間と時間を従来よりも低減できる。また所定距離の範囲内に位置する装置間で相互認証を行い、患者情報Ｊ１および担当者情報Ｊ２の取得と投薬情報Ｊ３の読み取りとを別個の手続きで行ったうえで投薬の許可または不許可を報知するので、患者への投薬が適正か否かが明確になる。
【００３７】
（２）報知手段３７は、薬剤情報Ｊ４が投薬情報Ｊ３に含まれる薬剤情報と一致し、分量や投与時間等に関する投薬条件を満たす場合に限って投薬の許可を報知した（図４のステップＳ１９）。単に処方された薬と投与しようとする薬とが一致するだけでなく、分量や投与時間等が適正か否かを判別するための投薬条件を満たして初めて投薬を許可する報知を行う。したがって、投薬ミスを未然に防止することができる。
【００３８】
（３）第２携帯装置２０の第２認証手段２３で決定された認証／非認証が取得許可信号Ｉ２で明らかにならない限り、リーダ３３が使えないように構成した（図４のステップＳ１３、Ｓ１４）。したがって、非相互認証の状態で患者情報Ｊ１や担当者情報Ｊ２がリーダ３３によって取得されるのを防止することができる。
【００３９】
（４）患者情報Ｊ１、担当者情報Ｊ２、投薬情報Ｊ３について一部または全部を報知するので（図４のステップＳ１９）、投薬担当者としての医師等は処方された薬と投与しようとする薬とを確認することができる。したがって、報知された薬を確認することで投薬ミスを未然に防止することができる。
【００４０】
〔実施の形態２〕
実施の形態２は、実施の形態１における第２携帯装置２０と端末機３０ａとの間で行う相互認証に加えて、第１携帯装置１０と端末機３０ａとの間で相互認証を行う例であって、図５と図６を参照しながら説明する。なお、投薬管理システムの構成等は実施の形態１と同様であり、図示および説明を簡単にするために実施の形態２では実施の形態１と異なる点について説明する。よって実施の形態１で用いた要素と同一の要素には同一の符号を付して説明を省略する。
【００４１】
図５において、第１携帯装置１０には、第１記憶手段１１、第１認証手段１２、第１送信手段１３および第１通信手段１５を加える。第１記憶手段１１には、患者情報Ｊ１と担当者情報Ｊ２との双方を文字等で記憶する。第１通信手段１５は、所定距離の範囲内に位置する第２携帯装置２０および端末機３０ａについて個別に無線通信を行う。第１認証手段１２は、第１通信手段１５を通じて第２携帯装置２０または端末機３０ａから取得した担当者情報Ｊ２と、第１記憶手段１１に記憶された担当者情報Ｊ２とが一致するか否かにより、認証または非認証のいずれかを決定する。
【００４２】
第２携帯装置２０では、第２通信手段２１と第２認証手段２３について機能を追加する。すなわち第２通信手段２１は、端末機３０ａとの間に限らず、第１携帯装置１０との間でも通信を行う。第２認証手段２３は、患者情報Ｊ１を端末機３０ａから取得する場合に限らず、第１携帯装置１０から取得する場合を含む。
【００４３】
端末機３０ａでは、第３通信手段３１と第３認証手段３２について機能を追加する。すなわち第３通信手段３１は、端末機３０ａとの間に限らず、第１携帯装置１０との間でも通信を行う。第３認証手段３２は相互認証を行う対象に応じて、患者情報Ｊ１の一致／不一致と、担当者情報Ｊ２の一致／不一致とのうちで一方または双方に基づいて、認証または非認証のいずれかを決定する。
【００４４】
上述のように構成された投薬管理システムについて、患者への投薬手続き例を図６に表す。図６に表すチャートが図４に表すチャートと異なるのは、次の二点である。第１点は、第１携帯装置１０と端末機３０ａとの間で相互認証用信号Ｍ１を送受信して相互認証を行うことである（後述するステップＳ２０、Ｓ２１ａ、Ｓ２１ｂ、Ｓ２２ａ、Ｓ２２ｂ、Ｓ２３を参照）。第２点は、リーダ３３による情報の取得を可能に設定するための条件である（後述するステップＳ２４を参照）。
【００４５】
図６において、時刻ｔ２０には第１携帯装置１０と端末機３０ａとの間で相互認証用信号Ｍ１を送受信して相互に認証を行う（相互認証工程に相当する；ステップＳ２０）。第１携帯装置１０は、第１認証手段１２が認証を決定すると（ステップＳ２１ａでＹＥＳ）、時刻ｔ２１に第１通信手段１５を通じて取得許可信号Ｉ１を送信する（ステップＳ２３）。一方、第１認証手段１２が非認証を決定すると（ステップＳ２１ａでＮＯ）、第１携帯装置１０は何もしない（ステップＳ２２ａ）。
【００４６】
一方、端末機３０ａでは第３認証手段３２が認証を決定し（ステップＳ２１ｂでＹＥＳ）、時刻ｔ１１に第２携帯装置２０から取得許可信号Ｉ２を受信し、かつ時刻ｔ２１に第１携帯装置１０から取得許可信号Ｉ１を受信すると、リーダ３３による情報の取得を可能に設定する（設定工程に相当する；ステップＳ２４）。このステップＳ２４でリーダ３３による情報の取得を可能に設定した後は、上述した実施の形態１と同様の処理が行われる。一方、第３認証手段３２が非認証を決定すると（ステップＳ２１ｂでＮＯ）、端末機３０ａは何もしない（ステップＳ２２ｂ）。
【００４７】
上述した実施の形態２によれば、第２携帯装置２０と端末機３０ａとの間で行う相互認証に加えて（相互認証工程；図６のステップＳ１０）、第１携帯装置１０と端末機３０ａとの間で相互認証を行うように構成したので（相互認証工程；図６のステップＳ２０）、投薬の対象となる患者をより明確に特定することができる。その他の作用効果については実施の形態１と同様である。
【００４８】
〔実施の形態３〕
実施の形態３は、実施の形態１における第２携帯装置２０と端末機３０ａとの間で行う相互認証に加えて、第１携帯装置１０と第２携帯装置２０との間で相互認証を行う例であって、図７と図８を参照しながら説明する。なお、投薬管理システムの構成等は実施の形態１と同様であり、図示および説明を簡単にするために実施の形態３では実施の形態１と異なる点について説明する。よって実施の形態１で用いた要素と同一の要素には同一の符号を付して説明を省略する。
【００４９】
図７において、第１携帯装置１０には、第１記憶手段１１、第１認証手段１２、第１送信手段１３および第１通信手段１５を加える。これらの各要素の機能は、実施の形態２で説明した通りであるので省略する。同様に、第２携帯装置２０の第２通信手段２１と第２認証手段２３や、端末機３０ａの第３通信手段３１と第３認証手段３２についても、実施の形態２で説明した通りであるので省略する。
【００５０】
上述のように構成された投薬管理システムについて、患者への投薬手続き例を図８に表す。図８に表すチャートが図４に表すチャートと異なるのは、次の二点である。第１点は、第１携帯装置１０と第２携帯装置２０との間で相互認証用信号Ｍ５を送受信して相互認証を行うことである（後述するステップＳ３０、Ｓ３１ａ、Ｓ３１ｂ、Ｓ３２ａ、Ｓ３２ｂ、Ｓ３３、Ｓ３４を参照）。第２点は、リーダ３３による情報の取得を可能に設定するための条件である（後述するステップＳ３５を参照）。
【００５１】
図８において、時刻ｔ３０には第１携帯装置１０と第２携帯装置２０との間で相互認証用信号Ｍ５を送受信して相互に認証を行う（相互認証工程に相当する；ステップＳ３０）。第１携帯装置１０は、第１認証手段１２が認証を決定すると（ステップＳ３１ａでＹＥＳ）、時刻ｔ３１に第１通信手段１５を通じて取得許可信号Ｉ１を第２携帯装置２０に送信する（ステップＳ３３）。一方、第１認証手段１２が非認証を決定すると（ステップＳ３１ａでＮＯ）、第１携帯装置１０は何もしない（ステップＳ３２ａ）。
【００５２】
第２携帯装置２０では、第２認証手段２３が認証を決定し（ステップＳ３１ｂでＹＥＳ）、かつ時刻ｔ３１に第１携帯装置１０から取得許可信号Ｉ５を受信すると、時刻ｔ３２に第２通信手段２１を通じて取得許可信号Ｉ２を管理装置３０に送信する（ステップＳ３４）。一方、第２認証手段２３が非認証を決定すると（ステップＳ３１ｂでＮＯ）、第２携帯装置２０は何もしない（ステップＳ３２ｂ）。
【００５３】
端末機３０ａでは、第３認証手段３２が認証を決定し（ステップＳ１１ｂでＹＥＳ）、かつ時刻ｔ３２に第２携帯装置２０から取得許可信号Ｉ２を受信すると、リーダ３３による情報の取得を可能に設定する（ステップＳ３５）。
【００５４】
上述した実施の形態３によれば、第２携帯装置２０と端末機３０ａとの間で行う相互認証に加えて（相互認証工程；図８のステップＳ１０）、第１携帯装置１０と第２携帯装置２０との間で相互認証を行うように構成したので（相互認証工程；図８のステップＳ３０）、投薬の対象となる患者をより明確に特定することができる。その他の作用効果については実施の形態１と同様である。
【００５５】
〔他の実施の形態〕
以上では本発明を実施するための最良の形態について実施の形態１〜３に従って説明したが、本発明は当該形態に何ら限定されるものではない。言い換えれば、本発明の要旨を逸脱しない範囲内において、種々なる形態で実施することもできる。例えば、次に表す各形態を実現してもよい。
【００５６】
（１）実施の形態１では第２携帯装置２０と管理装置３０との間で相互認証を行い（図４のステップＳ１０を参照）、実施の形態２では実施の形態１に加えて第１携帯装置１０と管理装置３０との間で相互認証を行い（図６のステップＳ１０、Ｓ２０を参照）、実施の形態２では実施の形態１に加えて第１携帯装置１０と第２携帯装置２０との間で相互認証を行った（図８のステップＳ１０、Ｓ３０を参照）。これらの形態に代えて、第１携帯装置１０、第２携帯装置２０および管理装置３０の全ての相互間で相互認証を行うように構成してもよい。三者間の相互認証を行うことにより、いずれかの装置の偽造等を防止し、患者への投薬を適正かつ確実に行うことができる。
【００５７】
（２）実施の形態１〜３では、管理装置３０を端末機３０ａとサーバー３０ｂとで構成した（図１、図５、図７の二点鎖線を参照）。この形態に代えて、管理装置３０を端末機３０ａのみで構成したり、管理装置３０をサーバー３０ｂのみで構成してもよい。すなわち前者は管理装置３０の全機能を端末機３０ａで実現し、後者は管理装置３０の全機能をサーバー３０ｂで実現する。その他、端末機３０ａの一部の要素をサーバー３０ｂに備えたり、逆にサーバー３０ｂの一部の要素を端末機３０ａに備える構成としてもよい。いずれの構成にせよ管理装置３０の全機能を全て果たせるので、実施の形態１〜３と同様の作用効果を得ることができる。
【００５８】
（３）実施の形態１〜３では、第１携帯装置１０はリストバンドで実現した（図３を参照）。この形態に代えて、患者が携帯可能な他の装置や部品等で実現してもよい。他の装置や部品等は、例えば診察券、保険証、身分証明書（運転免許証等のような免許証を含む）、ＩＣカード（クレジットカードやキャッシュカード等を含む）、携帯電話機などが該当する。特に従来から在る装置や部品等で実現すれば、コストを安く抑えられる。
【００５９】
（４）実施の形態１〜３では、第２携帯装置２０は名札を兼ねたＩＤカードで実現した（図３を参照）。この形態に代えて、投薬担当者が携帯可能な他の装置や部品等で実現してもよい。他の装置や部品等は、例えばＩＤカードを除くＩＣカード、無線ＩＣタグ、携帯電話機、携帯情報端末、身分証明書（運転免許証等のような免許証を含む）などが該当する。特に従来から在る装置や部品等で実現すれば、コストを安く抑えられる。
【００６０】
（５）実施の形態１〜３では、情報表示手段４０としてのテレビを病院等の治療用ベッドに備えた（図３を参照）。この形態に代えて、他の位置に備えてもよい。他の位置は治療用ベッドを除く病室内や措置室内、薬局、病院外の薬店等が該当する。特に病院外に備える場合には、管理装置３０（特にサーバー３０ｂ）からインターネット等の通信回線を介して受信可能に備えるとよい。単に情報表示手段４０の配置場所が異なるだけであるので、実施の形態１〜３と同様の作用効果を得ることができる。
【００６１】
（６）実施の形態１〜３では、投薬情報Ｊ３は情報読取手段３５を用いてテレビ（情報表示手段４０）から読み取る構成とした（図３を参照）。この形態に代えて、他の媒体からなる情報表示手段４０から読み取る構成としてもよい。他の媒体としては、例えば診察券やカルテ等のような投薬番号表示手段が該当する。単に情報表示手段４０の媒体が異なるだけであるので、実施の形態１〜３と同様の作用効果を得ることができる。
【００６２】
（７）実施の形態１〜３では、テレビ（情報表示手段４０）から情報読取手段３５を用いて投薬情報Ｊ３を読み取り、読み取った投薬情報Ｊ３が第３記憶手段３８に記憶されている投薬情報Ｊ３と一致するか否かに基づいて報知手段３７が投薬の許可または不許可を報知する構成とした（図３と図４のステップＳ１７、Ｓ１９を参照）。この形態に代えて、情報読取手段３５を用いて薬自体または薬の包装容器に予め記録されている薬剤情報を読み取り、読み取った薬剤情報が投薬情報Ｊ３に含まれる薬剤情報と一致するか否かに基づいて報知手段３７が投薬の許可または不許可を報知する構成としてもよい。
【００６３】
この構成によれば、薬自体（例えば錠剤やカプセルの表面等）や薬の包装容器（例えば薬包、薬袋、薬容器等）に記録された薬剤情報は、薬を正確に特定する情報源である。この薬剤情報を情報読取手段３５で読み取り、投与しようとする薬（薬剤情報）と処方された薬（投薬情報）とが一致する場合に限って報知手段３７が投薬の許可を報知する。したがって、より確実に投薬ミスを防止することができる。
【００６４】
（８）患者情報Ｊ１に患者の生体情報を付加して第３記憶手段３８に記憶し、リーダ３３または情報読取手段３５によって患者から取得した生体情報が第３記憶手段３８に患者情報Ｊ１として記憶された生体情報と一致するか否かに基づいて報知手段３７が投薬の許可または不許可を報知する構成としてもよい。「生体情報」は患者を識別可能な情報であって、例えば指紋、掌形、網膜、虹彩、血管、音声、ＤＮＡなどの情報が該当する。
【００６５】
この構成によれば、患者から取得した生体情報が第３記憶手段３８に記憶された生体情報と一致するか否か、すなわち投薬すべき患者か否かを判別し、投薬の許可または不許可を報知する。したがって、より確実に投薬ミスを防止することができる。
【００６６】
（９）実施の形態１〜３では、人間を患者とした場合に適用したが（図２を参照）、動物を患者とした場合でも同様に適用することができる。
同様に、医師を投薬担当者とした場合に適用したが（図２を参照）、看護師や薬剤師等を投薬担当者とした場合でも同様に適用することができる。すなわち患者に対して投薬を行う資格を有する者であればよい。
さらに、患者情報Ｊ１、担当者情報Ｊ２、投薬情報Ｊ３などのような各情報はいずれも英数字を用いて対象者を特定したが（図２を参照）、英数字を除く他の文字（例えば漢字やカタカナ等）、記号、符号などを用いて対象者を特定してもよい。
そして、第１表示手段１４や第２表示手段２５にはバーコードを用いたが（図２を参照）、他のコード（例えばＱＲコードや文字認識用の英数字等）や、凹凸（印刷を含む）、切欠き、穿孔等のように物体に物理的な変形を加えた記録態様を用いてもよい。また情報
いずれの変形例にせよ、実施の形態１〜３と同様の作用効果を得ることができる。
【図面の簡単な説明】
【００６７】
【図１】投薬管理システムの構成例を模式的に表すブロック図である。
【図２】各情報の構成例を表す図である。
【図３】実際の使用例を説明する図である。
【図４】患者への投薬手続き例を説明するチャート図である。
【図５】投薬管理システムの構成例を模式的に表すブロック図である。
【図６】患者への投薬手続き例を説明するチャート図である。
【図７】投薬管理システムの構成例を模式的に表すブロック図である。
【図８】患者への投薬手続き例を説明するチャート図である。
【符号の説明】
【００６８】
１０  第１携帯装置
１１  第１記憶手段
１２  第１認証手段
１３  第１送信手段
１４  第１表示手段
１５  第１通信手段
２０  第２携帯装置
２１  第２通信手段
２２  第２記憶手段
２３  第２認証手段
２４  第２送信手段
２５  第２表示手段
３０  管理装置
３０ａ  端末機
３０ｂ  サーバー
３１  第３通信手段
３２  第３認証手段
３３  リーダ
３４  情報取得手段
３５  情報読取手段
３６  情報出力手段
３７  報知手段
３８  第３記憶手段
４０  情報表示手段
Ｍ１、Ｍ２、Ｍ５  相互認証用信号
Ｉ１、Ｉ２、Ｉ５  取得許可信号
Ｉ３  投薬情報信号
Ｊ１  患者情報
Ｊ２  担当者情報
Ｊ３  投薬情報
Ｊ４  薬剤情報
Ｊ５  数量情報
Ｊ６  時間情報
【図１】
2008269464.tif 000003
【図２】
2008269464.tif 000004
【図３】
2008269464.tif 000005
【図４】
2008269464.tif 000006
【図５】
2008269464.tif 000007
【図６】
2008269464.tif 000008
【図７】
2008269464.tif 000009
【図８】
2008269464.tif 000010